【手続補正書】
【提出日】平成22年10月7日(2010.10.7)
【手続補正１】
【補正対象書類名】特許請求の範囲
【補正対象項目名】全文
【補正方法】変更
【補正の内容】
【特許請求の範囲】
【請求項１】
ねじ穴の内面に形成された雌ねじ部を有する形状記憶性樹脂製雌型締結体であって、
該雌型締結体は、前記ねじ穴の内面に前記雌ねじ部を有する第１形態と、所定温度以上に加温されることにより発現する締結機能が消失した第２形態とを有するものであり、該第２形態では、前記雌型締結体の外寸が大きくなりかつ長さが短くなるとともに、前記ねじ穴の内面より前記雌ねじ部が消失し、かつ、該ねじ穴の内径が、前記雌ねじ部のネジ溝間内径より大きい内径のものとなることを特徴とする形状記憶性樹脂製雌型締結体。
【請求項２】
ねじ穴の内面に形成された雌ねじ部を有する形状記憶性樹脂製雌型締結体であって、
該雌型締結体は、前記ねじ穴の内面に前記雌ねじ部を有する第１形態と、所定温度以上に加温されることにより発現する第２形態とを有するものであり、該第２形態では、前記雌型締結体の外寸が大きくなりかつ長さが短くなるとともに、該ねじ穴の雌ねじ部のネジ山間内径が、前記第１形態における雌ねじ部のネジ溝間内径より大きい内径のものとなることを特徴とする形状記憶性樹脂製雌型締結体。
【請求項３】
ねじ穴の内面に形成された雌ねじ部を有する形状記憶性樹脂製雌型締結体であって、
前記形状記憶性樹脂製雌型締結体は、前記ねじ穴に、向かい合うように２つもしくは該ねじ穴の中心軸に対してほぼ等角度となるよう設けられた複数の短径部と、前記短径部間に位置する複数の長径部と、少なくとも前記複数の短径部の内面に形成された前記雌ねじ部とを備える第１形態と、所定温度以上に加温されることにより発現する第２形態とを有するものであり、該第２形態では、前記ねじ穴は、前記短径部における半径より大きく、かつ、前記長径部における半径より小さい半径を有する円状となることを特徴とする形状記憶性樹脂製雌型締結体。
【請求項４】
前記形状記憶性樹脂製雌型締結体は、前記第２形態では、前記雌ねじ部が実質的に消失するものである請求項３に記載の形状記憶性樹脂製雌型締結体。
【請求項５】
前記形状記憶性樹脂は、動的粘弾性測定における損失正接値のピークとなる第１の損失正接ピーク温度を有する第１の形状記憶性ポリマーと、前記第１の形状記憶性ポリマーと相溶性を有し、かつ動的粘弾性測定における損失正接値のピークが前記第１の損失正接ピーク温度よりも高い第２の損失正接ピーク温度を有する第２の形状記憶性ポリマーとの混合物からなるものである請求項１ないし４のいずれかに記載の形状記憶性樹脂製雌型締結体。
【請求項６】
前記形状記憶性樹脂は、非晶性ポリエチレンテレフタレートと、非晶性ポリエチレンナフタレート、低結晶性形状記憶ポリエチレンナフタレートもしくは半結晶性ポリエチレンナフタレートとの混合物である請求項５に記載の形状記憶性樹脂製雌型締結体。
【請求項７】
前記形状記憶性樹脂は、非晶性形状記憶性ポリマーである請求項１ないし４のいずれかに記載の形状記憶性樹脂製雌型締結体。
【請求項８】
前記非晶性形状記憶性ポリマーは、非晶性ポリエステル、非晶性スチレン系樹脂、ポリカーボネート、ポリチオエーテル、非晶性ポリイミド、ポリフェニレンエーテル、ポリイミド、ポリエーテルイミド、ポリアリレート、ポリサルフォン、ポリエーテルサルフォン、全芳香族ポリアミド、ポリアミドイミド、非晶性オレフィン系樹脂、ポリフェニレンサルファイドからなる群より選択された少なくとも１種のものである請求項７に記載の形状記憶性樹脂製雌型締結体。
【請求項９】
前記形状記憶性樹脂は、非晶性ポリエチレンテレフタレート、非晶性ポリエチレンナフタレート、低結晶性形状記憶ポリエチレンナフタレートもしくは半結晶性ポリエチレンナフタレートのいずれかである請求項１ないし４のいずれかに記載の形状記憶性樹脂製雌型締結体。
【請求項１０】
前記雌型締結体は、ナットまたは袋ナットである請求項１ないし９のいずれかに記載の形状記憶性樹脂製雌型締結体。
【請求項１１】
前記第２形態となる前記所定温度は、５０℃〜１６０℃である請求項１ないし１０のいずれかに記載の形状記憶性樹脂製雌型締結体。
【請求項１２】
前記形状記憶性樹脂は、ガラス繊維もしくは炭素繊維を含有している請求項１ないし１１のいずれかに記載の形状記憶性樹脂製雌型締結体。
【請求項１３】
前記請求項１ないし１２のいずれかに記載の形状記憶性樹脂製雌型締結体の製造方法であって、
前記形状記憶性樹脂を射出成形することにより、雌ねじ部を持たないねじ穴を有する前記締結機能消失形態時の形状を備える締結体基材を成形する工程と、前記形状記憶性樹脂性雌型締結体の形状回復温度以下の温度条件にて、該締結体基材を外方より圧縮して前記ねじ穴内径の縮径化もしくは変形化ならびに前記ねじ穴内面への前記雌ねじ部の形成を行う塑性変形工程とを行うことを特徴とする形状記憶性樹脂製雌型締結体の製造方法。
【請求項１４】
前記塑性変形工程における前記雌ねじ部の形成は、転造タップを用いて行うものである請求項１３に記載の形状記憶性樹脂製雌型締結体の製造方法。
【請求項１５】
前記塑性変形工程における前記締結体基材を外方より圧縮して前記ねじ穴内径の縮径化もしくは変形化と前記雌ねじ部の形成は、同時に行うものである請求項１３または１４に記載の形状記憶性樹脂製雌型締結体の製造方法。
【請求項１６】
前記塑性変形工程は、前記締結体基材を外方より圧縮することにより行う前記ねじ穴内径の縮径化もしくは変形化工程と、該縮径化もしくは変形化工程の後に、前記雌ねじ部の形成工程を行うものである請求項１３または１４に記載の形状記憶性樹脂製雌型締結体の製造方法。
【手続補正２】
【補正対象書類名】明細書
【補正対象項目名】発明の名称
【補正方法】変更
【補正の内容】
【発明の名称】形状記憶性樹脂製雌型締結体およびその製造方法
【手続補正３】
【補正対象書類名】明細書
【補正対象項目名】０００１
【補正方法】変更
【補正の内容】
【０００１】
本発明は、ねじ穴内面に形成された雌ねじ部を有する形状記憶性樹脂製雌型締結体およびその製造方法に関する。
【手続補正４】
【補正対象書類名】明細書
【補正対象項目名】０００２
【補正方法】変更
【補正の内容】
【０００２】
多くの製品において、多くの締結体が利用されている。締結体としては、雌ねじ部を有する雌型締結体であるナットなどがある。部品などを本体に締結する場合には、ねじをナットに対して締め付ける方向に回すことにより固定される。また、修理、解体時には、ねじを弛める方向に回して部品などを本体より離脱させる。
近年では、資源および環境問題などより、製品のリサイクル化が促進されており、製品として、解体の容易さが求められるようになってきている。製品のリサイクルを容易なものとするためには、締結体の離脱の容易さが必要である。
そして、形状記憶素材によって製造されたねじが提案されている。形状記憶素材とは、熱を加えることによって形状回復温度に達すると、予め形状記憶された状態に戻る性質を有する素材であって、形状記憶性樹脂、形状記憶合金と呼ばれるものがある。
そして、本件出願人は、特開２００３−１４５５６４（特許文献１）において、形状記憶性樹脂を用いた締結体を提案している。この締結体は、形状記憶ポリマーからなる締結体であり、ポリウレタン系形状記憶ポリマー部分に、締結機能を発揮する、凸部、凹部、凹凸部、ねじ部、および、傾斜部からなる群より選ばれる少なくとも１つ以上の形状を設けたものである。さらに、締結体として、ポリウレタン系形状記憶ポリマーからなる締結機能部を有し、該締結機能部における外径をｄ1、二次賦形前の外径をｄ0とし、嵌合相手となる雌型締結体の締結機能部、あるいは嵌合部の内径をD1としたときに、下式（１）及び（２）
ｄ0 ＜ Ｄ1 （１）、ｄ1 ＞ Ｄ1 （２）  を同時に満たすように、該締結機能部を設けることも提案している。
また、特開２００４−１９０８３７（特許文献２）には、形状回復温度と形状回復方向がほぼ同一である形状記憶素材から雄ねじおよび雌ねじ部が形成され、雄ねじと雌ねじ部の螺合によって被締結部品Ａ，Ｂの締結を行う。そして、雄ねじが形状回復した際の雄ねじ母材２Ａのねじ形成部２２Ａは、ネジのない、雄ねじのネジの有効径と略同等の外径ｄ２の筒状となり、雌ねじ部が形状回復した際の雌ねじ部母材３Ａのねじ形成部３２Ａは、ネジのない、雌ねじ部のネジの有効径と略同等の穴径Ｄ２の穴状となるものが提案されている。
【手続補正５】
【補正対象書類名】明細書
【補正対象項目名】０００４
【補正方法】変更
【補正の内容】
【０００４】
特許文献１および２のものも有効ではあるが、特許文献２のものでは、雄ねじを有する雌型締結部も形状記憶材料により形成し、かつ適宜の塑性変形処理をしなければならないという制約がある。
そして、特許文献１の段落番号００４０には、形状記憶ポリマーからなる雌形部品（ナット）に関して、Tg以上に加熱することによって雌ねじ部が消滅するという状態変化を表している。ここでは、簡単のために、雌ねじ部が消滅する場合が図示されているが、実際には雌ねじ部内径が拡大してもよい旨の開示がある。特許文献１のものでは、雌ねじ部が消滅する場合と雌ねじ部内径が拡大する場合を選択するものとなっている。
形状記憶性樹脂により、雌型締結体を形成する場合、締結機能を持たない形態の締結体基材を成形した後、形状記憶性樹脂の形状回復温度もしくはガラス転移温度以下の温度条件下において、締結機能（例えば、雌ねじ部）を付与する塑性変形工程を行うことが必要である。この塑性変形工程における塑性変形度が高いほど、塑性変形前の形状への復元率が低下する。しかし、塑性変形度が小さすぎると、形状復元した状態において、締結対象である雄形締結体より離脱しない状態が発生する。
そこで、本発明は、形状記憶性樹脂を用いた雌型締結体において、その形態を改良することにより、十分な締結力を保持し、かつ、形状回復温度以上への加温により、締結機能が確実に消失し、締結対象の雄形締結体より容易かつ確実に離脱することができる形状記憶性樹脂製雌型締結体およびその製造方法を提供するものである。
【手続補正６】
【補正対象書類名】明細書
【補正対象項目名】０００５
【補正方法】変更
【補正の内容】
【０００５】
上記目的を達成するものは、以下のものである。
（１）  ねじ穴の内面に形成された雌ねじ部を有する形状記憶性樹脂製雌型締結体であって、
該雌型締結体は、前記ねじ穴の内面に前記雌ねじ部を有する第１形態と、所定温度以上に加温されることにより発現する締結機能が消失した第２形態とを有するものであり、該第２形態では、前記雌型締結体の外寸が大きくなりかつ長さが短くなるとともに、前記ねじ穴の内面より前記雌ねじ部が消失し、かつ、該ねじ穴の内径が、前記雌ねじ部のネジ溝間内径より大きい内径のものとなる形状記憶性樹脂製雌型締結体。
【手続補正７】
【補正対象書類名】明細書
【補正対象項目名】０００６
【補正方法】変更
【補正の内容】
【０００６】
また、上記目的を達成するものは、以下のものである。
（２）  ねじ穴の内面に形成された雌ねじ部を有する形状記憶性樹脂製雌型締結体であって、
該雌型締結体は、前記ねじ穴の内面に前記雌ねじ部を有する第１形態と、所定温度以上に加温されることにより発現する第２形態とを有するものであり、該第２形態では、前記雌型締結体の外寸が大きくなりかつ長さが短くなるとともに、該ねじ穴の雌ねじ部のネジ山間内径が、前記第１形態における雌ねじ部のネジ溝間内径より大きい内径のものとなる形状記憶性樹脂製雌型締結体。
【手続補正８】
【補正対象書類名】明細書
【補正対象項目名】０００７
【補正方法】変更
【補正の内容】
【０００７】
また、上記目的を達成するものは、以下のものである。
（３）  ねじ穴の内面に形成された雌ねじ部を有する形状記憶性樹脂製雌型締結体であって、
前記形状記憶性樹脂製雌型締結体は、前記ねじ穴に、向かい合うように２つもしくは該ねじ穴の中心軸に対してほぼ等角度となるよう設けられた複数の短径部と、前記短径部間に位置する複数の長径部と、少なくとも前記複数の短径部の内面に形成された前記雌ねじ部とを備える第１形態と、所定温度以上に加温されることにより発現する第２形態とを有するものであり、該第２形態では、前記ねじ穴は、前記短径部における半径より大きく、かつ、前記長径部における半径より小さい半径を有する円状となる形状記憶性樹脂製雌型締結体。
【手続補正９】
【補正対象書類名】明細書
【補正対象項目名】０００８
【補正方法】変更
【補正の内容】
【０００８】
（４）  前記形状記憶性樹脂製雌型締結体は、前記第２形態では、前記雌ねじ部が実質的に消失するものである上記（３）に記載の形状記憶性樹脂製雌型締結体。
（５）  前記形状記憶性樹脂は、動的粘弾性測定における損失正接値のピークとなる第１の損失正接ピーク温度を有する第１の形状記憶性ポリマーと、前記第１の形状記憶性ポリマーと相溶性を有し、かつ動的粘弾性測定における損失正接値のピークが前記第１の損失正接ピーク温度よりも高い第２の損失正接ピーク温度を有する第２の形状記憶性ポリマーとの混合物からなるものである上記（１）ないし（４）のいずれかに記載の形状記憶性樹脂製雌型締結体。
（６）  前記形状記憶性樹脂は、非晶性ポリエチレンテレフタレートと、非晶性ポリエチレンナフタレート、低結晶性形状記憶ポリエチレンナフタレートもしくは半結晶性ポリエチレンナフタレートとの混合物である上記（５）に記載の形状記憶性樹脂製雌型締結体。
（７）  前記形状記憶性樹脂は、非晶性形状記憶性ポリマーである上記（１）ないし（４）のいずれかに記載の形状記憶性樹脂製雌型締結体。
【手続補正１０】
【補正対象書類名】明細書
【補正対象項目名】０００９
【補正方法】変更
【補正の内容】
【０００９】
（８）  前記非晶性形状記憶性ポリマーは、非晶性ポリエステル、非晶性スチレン系樹脂、ポリカーボネート、ポリチオエーテル、非晶性ポリイミド、ポリフェニレンエーテル、ポリイミド、ポリエーテルイミド、ポリアリレート、ポリサルフォン、ポリエーテルサルフォン、全芳香族ポリアミド、ポリアミドイミド、非晶性オレフィン系樹脂、ポリフェニレンサルファイドからなる群より選択された少なくとも１種のものである上記（７）に記載の形状記憶性樹脂製雌型締結体。
（９）  前記形状記憶性樹脂は、非晶性ポリエチレンテレフタレート、非晶性ポリエチレンナフタレート、低結晶性形状記憶ポリエチレンナフタレートもしくは半結晶性ポリエチレンナフタレートのいずれかである上記（１）ないし（４）のいずれかに記載の形状記憶性樹脂製雌型締結体。
（１０）  前記雌型締結体は、ナットまたは袋ナットである上記（１）ないし（９）のいずれかに記載の形状記憶性樹脂製雌型締結体。
（１１）  前記第２形態となる前記所定温度は、５０℃〜１６０℃である上記（１）ないし（１０）のいずれかに記載の形状記憶性樹脂製雌型締結体。
（１２）  前記形状記憶性樹脂は、ガラス繊維もしくは炭素繊維を含有している上記（１）ないし（１１）のいずれかに記載の形状記憶性樹脂製雌型締結体。
【手続補正１１】
【補正対象書類名】明細書
【補正対象項目名】００１０
【補正方法】変更
【補正の内容】
【００１０】
また、上記目的を達成するものは、以下のものである。
（１３）  前記（１）ないし（１２）のいずれかに記載の形状記憶性樹脂製雌型締結体の製造方法であって、
前記形状記憶性樹脂を射出成形することにより、雌ねじ部を持たないねじ穴を有する前記締結機能消失形態時の形状を備える締結体基材を成形する工程と、前記形状記憶性樹脂性雌型締結体の形状回復温度以下の温度条件にて、該締結体基材を外方より圧縮して前記ねじ穴内径の縮径化もしくは変形化ならびに前記ねじ穴内面への前記雌ねじ部の形成を行う塑性変形工程とを行う形状記憶性樹脂製雌型締結体の製造方法。
【手続補正１２】
【補正対象書類名】明細書
【補正対象項目名】００１１
【補正方法】変更
【補正の内容】
【００１１】
（１４）  前記塑性変形工程における前記雌ねじ部の形成は、転造タップを用いて行うものである上記（１３）に記載の形状記憶性樹脂製雌型締結体の製造方法。
（１５）  前記塑性変形工程における前記締結体基材を外方より圧縮して前記ねじ穴内径の縮径化もしくは変形化と前記雌ねじ部の形成は、同時に行うものである上記（１３）または（１４）に記載の形状記憶性樹脂製雌型締結体の製造方法。
（１６）  前記塑性変形工程は、前記締結体基材を外方より圧縮することにより行う前記ねじ穴内径の縮径化もしくは変形化工程と、該縮径化もしくは変形化工程の後に、前記雌ねじ部の形成工程を行うものである上記（１３）または（１４）に記載の形状記憶性樹脂製雌型締結体の製造方法。
【手続補正１３】
【補正対象書類名】明細書
【補正対象項目名】００１２
【補正方法】変更
【補正の内容】
【００１２】
本発明の形状記憶性樹脂製雌型締結体は、ねじ穴の内面に前記雌ねじ部を有する第１形態と、所定温度以上に加温されることにより発現する締結機能が消失した第２形態とを有するものであり、該第２形態では、前記雌型締結体の外寸が大きくなりかつ長さが短くなるとともに、前記ねじ穴の内面より前記雌ねじ部が消失し、かつ、該ねじ穴の内径が、前記雌ねじ部のネジ溝間内径より大きい内径のものとなるものであるので、所定温度以上に加温することにより、確実に締結機能消失形態に変態することが可能であり、締結対象の雄形締結体より容易かつ確実に離脱させることができる。
また、本発明の形状記憶性樹脂製雌型締結体は、ねじ穴の内面に形成された雌ねじ部を有し、前記ねじ穴は、向かい合うように２つもしくは該ねじ穴の中心軸に対してほぼ等角度となるよう設けられた複数の短径部と、該短径部間に位置する複数の長径部と、前記複数の短径部の内面に形成された前記雌ねじ部とを備える第１形態と、所定温度以上に加温されることにより発現する第２形態とを有するものであり、該第２形態では、前記ねじ穴は、前記短径部の半径より大きく、かつ、前記長径部の半径より小さい半径を有するほぼ円柱状となるものであるので、所定温度以上に加温することにより、確実に締結機能消失形態に変態することが可能であり、締結対象の雄形締結体より容易かつ確実に離脱させることができる。
また、本発明の形状記憶性樹脂製雌型締結体の製造方法は、前記形状記憶性樹脂を射出成形することにより、雌ねじ部を持たないねじ穴を有する前記締結機能消失形態時の形状を備える締結体基材を成形する工程と、前記形状記憶性樹脂性雌型締結体の形状回復温度以下の温度条件にて、該締結体基材を外方より圧縮して前記ねじ穴内径の縮径化もしくは変形化ならびに前記ねじ穴内面への前記雌ねじ部の形成を行う塑性変形工程とを行うものである。
よって、上記の使用する形状記憶性樹脂の形状回復温度以上に加温することにより、確実に締結機能消失形態に変態することが可能な締結体を容易かつ確実に製造することができる。
【手続補正１４】
【補正対象書類名】明細書
【補正対象項目名】００１４
【補正方法】変更
【補正の内容】
【００１４】
本発明の形状記憶性樹脂製雌型締結体１は、ねじ穴２の内面に形成された雌ねじ部３を有する形状記憶性樹脂製雌型締結体である。雌型締結体１は、ねじ穴２の内面に雌ねじ部３を有する第１形態１と、所定温度以上に加温されることにより発現する締結機能が消失した第２形態１ａとを有する。第２形態では、雌型締結体１の外寸が大きくなりかつ長さが短くなるとともに、ねじ穴２ａは、雌ねじ部３が消失した内面（平滑内面）３ａとなり、かつ、ねじ穴２ａの内径（内面３ａの径）は、雌ねじ部３のネジ溝間内径より大きいものとなる。
【手続補正１５】
【補正対象書類名】明細書
【補正対象項目名】００１９
【補正方法】変更
【補正の内容】
【００１９】
この実施例の形状記憶性樹脂製雌型締結体１０は、 ねじ穴２の内面に形成された雌ねじ部３を有する形状記憶性樹脂製雌型締結体である。雌型締結体１０は、ねじ穴２の内面に雌ねじ部３を有する第１形態１０と、所定温度以上に加温されることにより発現する第２形態１０ａとを有する。第２形態１０ａでは、雌型締結体１０の外寸が大きくなりかつ長さが短くなるとともに、ねじ穴２ｂの雌ねじ部３のネジ山間内径Ｄ１ａが、第１形態における雌ねじ部のネジ溝間内径Ｄ１より大きい内径のものとなる。
上述した実施例の締結体１と異なり、この締結体１０では、第２形態１０ａでは、雌ねじ部３は消失しないものの、ねじ穴２ｂの雌ねじ部３ｂのネジ山間内径Ｄ１ａが、第１形態における雌ねじ部のネジ溝間内径Ｄ１より大きい内径のものとなる。これにより、螺合していた雄型締結体の雄ねじのねじ山との螺合が不能となるため、両者の螺合状態（締結状態）が解除される。
【手続補正１６】
【補正対象書類名】明細書
【補正対象項目名】００２２
【補正方法】変更
【補正の内容】
【００２２】
次に、本発明の他の実施例の雌型締結体２０について説明する。この実施例は、本発明の締結体を袋ナットに応用したものである。
図１５は、本発明の形状記憶性樹脂製雌型締結体の他の実施例の正面図である。図１６は、図１５のＣ−Ｃ線断面図である。図１７は、図１５に示した形状記憶性樹脂製雌型締結体の第２形態発現時の断面図である。図１８は、本発明の形状記憶性樹脂製雌型締結体の他の実施例の第２形態発現時の断面図である。
この実施例の雌型締結体２０は、ねじ穴２２の一端が閉塞部となっている袋ナットとなっている。そして、この実施例の締結体２０では、第１形態において、雌ねじ部２３が形成された部分が内径および外径が小径である小径部２１であり、閉塞部が大径部２４となっている。そして、第２形態では、小径部２１ａの内径および外径が拡径し、かつ、小径部２１ａの長さが短くなるとともに、ねじ穴２２ａの内面の雌ねじ部２３が消失するものとなっている。
【手続補正１７】
【補正対象書類名】明細書
【補正対象項目名】００２６
【補正方法】変更
【補正の内容】
【００２６】
次に、本発明の他の実施例の雌型締結体３０について説明する。この実施例は、本発明の締結体を袋ナットに応用したものである。
図１９は、本発明の形状記憶性樹脂製雌型締結体の他の実施例の正面図である。図２０は、図１９に示した形状記憶性樹脂製雌型締結体のＤ−Ｄ線断面図である。図２１は、図１９に示した形状記憶性樹脂製雌型締結体の第２形態発現時の断面図である。図２２は、本発明の形状記憶性樹脂製雌型締結体の他の実施例の第２形態発現時の断面図である。
【手続補正１８】
【補正対象書類名】明細書
【補正対象項目名】００２７
【補正方法】変更
【補正の内容】
【００２７】
この実施例の雌型締結体３０は、ねじ穴３２の一端が閉塞部となっている袋ナットとなっている。そして、この実施例の締結体３０は、第２形態では、ナット３０の全体の内径および外径が拡径し、かつ、長さが短くなるとともに、ねじ穴３２の内面の雌ねじ部３３が消失するものとなっている。
この実施例の締結体３０は、閉塞部を備えること以外は、上述した締結体１と同じである。締結用形態において、袋ナット３０は、ねじ穴３２と、その内面に形成された雌ねじ部３３を有する一端が閉塞した筒状部材である。そして、ねじ穴３２（雌ねじ部３３）は、図２０に示すように、ねじ溝間により構成される螺合有効内径Ｄ３を持っている。この袋ナット３０は、締結用形態においては、通常の袋ナットと同じ形態となっている。
【手続補正１９】
【補正対象書類名】明細書
【補正対象項目名】００３０
【補正方法】変更
【補正の内容】
【００３０】
次に、本発明の他の実施例の雌型締結体４０について説明する。
図２３は、本発明の形状記憶性樹脂製雌型締結体の他の実施例の正面図である。図２４は、図２３に示した形状記憶性樹脂製雌型締結体の平面図である。図２５は、図２３のＥ−Ｅ線断面図である。図２６は、図２３のＦ−Ｆ線断面図である。図２７は、図２３に示した形状記憶性樹脂製雌型締結体の第２形態発現時の正面図である。図２８は、図２７のＧ−Ｇ線断面図である。図２９は、本発明の形状記憶性樹脂製雌型締結体の他の実施例の第２形態発現時の断面図である。図３０は、図２９のＨ−Ｈ線断面図である。
【手続補正２０】
【補正対象書類名】明細書
【補正対象項目名】００３４
【補正方法】変更
【補正の内容】
【００３４】
次に、本発明の他の実施例の雌型締結体５０について説明する。
図３１は、本発明の形状記憶性樹脂製雌型締結体の他の実施例の正面図である。
図３２は、図３１のＩ−Ｉ線断面図である。図３３は、図３１のＪ−Ｊ線断面図である。図３４は、図３１に示した形状記憶性樹脂製雌型締結体の第２形態発現時の正面図である。図３５は、図３４のＫ−Ｋ線断面図である。図３６は、本発明の形状記憶性樹脂製雌型締結体の他の実施例の第２形態発現時の正面図である。図３７は、図３６のＬ−Ｌ線断面図である。
【手続補正２１】
【補正対象書類名】明細書
【補正対象項目名】００３８
【補正方法】変更
【補正の内容】
【００３８】
次に、本発明の他の実施例の雌型締結体６０について説明する。
図３８は、本発明の形状記憶性樹脂製雌型締結体の他の実施例の正面図である。図３９は、図３８のＭ−Ｍ線断面図である。図４０は、図３８のＮ−Ｎ線断面図である。図４１は、図３８に示した形状記憶性樹脂製雌型締結体の第２形態発現時の正面図である。図４２は、図４１のＯ−Ｏ線断面図である。図４３は、本発明の形状記憶性樹脂製雌型締結体の他の実施例の正面図である。
この実施例の形状記憶性樹脂製雌型締結体６０は、ねじ穴６２の中心軸に対してほぼ等角度となるよう設けられた３つの短径部６４，６５，６６と、短径部６４，６５，６６間に位置する３つの長径部６３と、少なくとも短径部６４，６５，６６の内面に形成された雌ねじ部６４ａ，６５ａ，６６ａとを備える第１形態を有する。そして、形状記憶性樹脂製雌型締結体６０は、所定温度以上に加温されることにより発現する第２形態６０ａを有する。第２形態６０ａでは、ねじ穴６２ａは、第１形態の短径部６４，６５，６６における半径ｒ５より大きく、かつ、長径部６３における半径より小さい半径ｒ６を有する円状となる。
【手続補正２２】
【補正対象書類名】明細書
【補正対象項目名】００５６
【補正方法】変更
【補正の内容】
【００５６】
次に、本発明の形状記憶性樹脂製雌型締結体の製造方法について説明する。
本発明の形状記憶性樹脂製雌型締結体の製造方法は、上述した形状記憶性樹脂製雌型締結体の製造方法である。
本発明の形状記憶性樹脂製雌型締結体の製造方法は、形状記憶性樹脂を射出成形することにより、雌ねじ部を持たないねじ穴を有する締結機能消失形態時（第２形態時）の形状を備える締結体基材を成形する工程と、形状記憶性樹脂性雌型締結体の形状回復温度以下の温度条件にて、締結体基材を外方より圧縮してねじ穴内径の縮径化もしくは変形化ならびにねじ穴内面への雌ねじ部の形成を行う塑性変形工程とを行うものである。
製造される形状記憶性樹脂製雌型締結体（ナット）１は、上述したとおりである。
【手続補正２３】
【補正対象書類名】明細書
【補正対象項目名】００５７
【補正方法】変更
【補正の内容】
【００５７】
最初に、形状記憶性樹脂を射出成形することにより、図４および図５に示すような形態の雌型締結体基材を成形する。成形される雌型締結体基材は、最終的に製造される形状記憶性樹脂製雌型締結体より、内径、外径がともに大きいリング状のものであり、かつねじ穴を備えるもののねじ穴の内面に雌ねじ部を持たないものである。
そして、雌型締結体基材を外方より圧縮してねじ穴内径の縮径化もしくは変形化ならびにねじ穴内面への雌ねじ部を形成する塑性変形工程を行う。この工程は、締結体基材を構成する形状記憶性樹脂の損失正接ピーク温度以下の条件下にて行われる。